(57)【要約】【課題】文字入力画面にて入力された文字列が、他の画面に切換えられた後にも使えるようにする。【解決手段】車両に搭載された情報端末装置において、ブラウザのメールモードなどで、文字を入力するためのテキスト入力画面（図７（Ａ））上の文字列表示欄１３ａ内をタッチすると、５０音を表示するソフトキーボード画面（図７（Ｂ））に切換えられる。この画面上で、文字列が入力されるとともに入力文字列の変換が指示されると、変換された文字列が表示される。次に、現在地表示操作子１２ａが操作されると、表示画面は現在地表示（図７（Ｃ））に切換えられる。この切換えの時点で、変換済みの文字列を表す情報が記憶される。そして、そのテキスト入力画面への切換え時には、前記記憶した変換済み文字列が表示画面に表示され（図７（Ｄ））、表示された文字列の続きから文字列を入力することができる。【選択図】  図７
2004318726.tif 000002
【特許請求の範囲】
【請求項１】
情報を表示するための表示手段と、
文字を入力するための文字入力手段と、
前記文字入力手段によって入力された文字を前記表示手段にて表示中、同表示手段の表示画面が他の表示画面に切換えられたとき、切換え前に表示されていた文字を記憶しておく記憶手段と
を備えたことを特徴とする情報端末装置。
【請求項２】
請求項１に記載の情報端末装置は、さらに
入力された文字を変換するための変換手段を備え、
前記記憶手段は前記変換手段による変換済みの文字を記憶しておくものであることを特徴とする情報端末装置。
【請求項３】
請求項１または２に記載の情報端末装置は、車両に搭載されるものである。
【請求項４】
文字を入力可能とするとともに、同入力された文字を含む情報を表示可能な情報端末装置を制御するための制御方法において、
入力された文字の表示中、表示画面が他の表示画面に切換えられたとき、切換え前に表示されていた文字を記憶しておくようにしたことを特徴とする制御方法。
【請求項５】
前記表示中の文字は変換可能とされており、前記記憶される文字は変換済みの文字であることを特徴とする請求項４に記載の制御方法。
【請求項６】
前記情報端末装置は、車両に搭載されるものである請求項４または５に記載の制御方法。
【請求項７】
文字を入力可能とするとともに、同入力された文字を含む情報を表示可能な情報端末装置に適用されるコンピュータプログラムにおいて、
入力された文字の表示中、表示画面が他の表示画面に切換えられたとき、切換え前に表示されていた文字を記憶しておくようにしたことを特徴とするコンピュータプログラム。
【請求項８】
前記表示中の文字は変換可能とされており、前記記憶される文字は変換済みの文字である請求項７に記載のコンピュータプログラム。
【請求項９】
前記情報端末装置は、車両に搭載されるものである請求項７または８に記載のコンピュータプログラム。
【発明の詳細な説明】
【０００１】
【発明の属する技術分野】
本発明は、文字を入力可能とするとともに同入力された文字を含む情報を表示可能な情報端末装置、同情報端末装置に適用される制御方法およびコンピュータプログラムに関する。
【０００２】
【従来の技術】
従来から、種々の情報端末装置において、文字を入力するとともに変換して、同変換した文字を用いた各種処理を実行することはよく知られている（特許文献１参照）。
【０００３】
【特許文献１】
特開２００２−２５９３６５号公報
【０００４】
【発明が解決しようとする課題】
しかしながら、上記従来の装置においては、情報端末装置における表示画面を他の表示画面に切換えてしまうと、入力した文字が廃棄されてしまう。したがって、前記表示画面の切換え前に入力した文字を利用したくても、同文字を新たに入力し直さなければならず、ユーザにとって不便であった。特に、車両に搭載される情報端末装置にあっては、文字入力を完了する前に車両を発進させてしまうと、文字入力が禁止され、また、この発進後には、ナビゲーション装置を搭載した車両では、乗員は地図表示を選択することが多く、文字を再入力することが必要になって不便であった。また、ユーザの意志によらずに割込み表示される画面により、入力した文字が廃棄されてしまう場合もある。
【０００５】
【発明の概略】
本発明は、上記問題に対処するもので、その目的は、以前に入力された文字が無駄にならずに有効に利用されるようにした情報端末装置、同情報端末装置に適用される制御方法およびコンピュータプログラムを提供することにある。
【０００６】
上記目的を達成するために、本発明の特徴は、入力された文字の表示中、表示画面が他の表示画面に切換えられたとき、切換え前に表示されていた文字を記憶しておくようにしたことにある。この場合、本発明の適用される情報端末装置は、例えば、車両に搭載されるものである。
【０００７】
これによれば、情報端末装置における文字入力表示画面が他の表示画面に切換えられても、再度、前記文字表示画面に戻した場合には、記憶されている文字を画面表示して利用することが可能となる。その結果、以前に入力した文字を再入力する必要がなくなり、情報端末装置の使い勝手が良好になる。
【０００８】
また、本発明の他の特徴は、表示中の文字のうちで、前記記憶される文字を変換済みの文字としたことにある。これによれば、確定されている入力文字のみが利用され、誤って入力された文字などは無視されるので、情報端末装置の使い勝手がより良好になる。
【０００９】
【発明の実施の形態】
以下に、本発明の一実施形態について図面を用いて説明する。図１は、同実施形態に係る情報端末装置の全体を示す概略ブロック図である。この情報端末装置は、車両に搭載されるもので、制御装置１０を備えているとともに、同制御装置１０に接続された記憶装置１１、入力装置１２、表示装置１３、通信装置１４、車両信号検出装置１５、音声出力装置１６および音声入力装置１７を備えている。
【００１０】
制御装置１０は、ＣＰＵ、ＲＯＭ、ＲＡＭなどからなってコンピュータ本体部を構成するもので、後述する各種プログラムを実行してこの情報端末装置を統括的に制御する。記憶装置１１は、ハードディスクＨＤ、コンパクトディスグＣＤ、ディジタル多目的ディスクＤＶＤ、フラッシュメモリなどの記録媒体および同記録媒体のドライブ装置を含むものであり、予め各種プログラムおよび各種データを記憶しているとともに、プログラムの実行により新たに作成されたデータも記憶する。入力装置１２は、表示装置１３の近傍に設けられた操作スイッチ、表示装置１３内に組み込まれて表示パネルのタッチ操作を検出するパネルタッチスイッチなどからなり、乗員の指示を入力するものである。表示装置１３は、液晶表示器などからなり、文字、図形などを表示パネル上に表示するものである。
【００１１】
通信装置１４は、図示しないセンターと中継局を介して無線交信を可能とし、センターから各種情報を取得する。この通信装置１４には、無線交信のためのアンテナ１４ａが接続されている。車両信号検出装置１５は、車両に搭載された他の装置からの信号により車両の停止中を検出するもので、例えばパーキングブレーキの作動時に車両の停止中を判定し、同パーキングブレーキの非作動時には車両の走行中を判定する。また、車速センサにより検出される車速が「０」のとき車両の停止を判定し、同車速が「０」以外のとき車両の走行中を判定するようにしてもよい。また、変速機のシフトレバーがニュートラル位置またはパーキング位置にあるとき車両の停止を判定し、それ以外のとき車両の走行中を判定するようにしてもよい。さらに、車両に搭載された他の装置から車両の停止中であるか否かを表す信号が出力されている場合には、この信号を単に入力するだけでよい。音声出力装置１６は、制御装置１０から供給された音声情報を音声信号に変換し、同変換した音声信号をスピーカ１６ａを介して放音する。音声入力装置１７は、音声認識装置を内蔵し、マイクロフォン１７ａから入力した音声信号を音声情報に変換して出力する。
【００１２】
また、制御装置１０には、ナビゲーション装置２０およびハンズフリー装置３０が接続されるようになっている。ナビゲーション装置２０は、車両の現在位置を検出する機能、記憶されている地図情報に基づいて車両の現在位置を含めて地図を表示する機能、目的地の設定および目的地を案内する機能などを備えている。ハンズフリー装置３０には携帯電話４０が接続されるようになっており、ハンズフリー装置３０は、携帯電話４０を操作することなく、通信装置１４または携帯電話４０を送受信手段として機能させて、外部との各種信号の授受を可能とする。この携帯電話４０は携帯電話メモリ４１を内蔵させていて、同携帯電話メモリ４１は送受信先のアドレスデータを記憶したアドレステーブルを含むとともに各種情報を記憶している。
【００１３】
次に、上記のように構成した実施形態の動作を説明する。情報端末装置の作動開始により、ブラウザ制御プログラムが図２のステップ１００にて実行され始めると、制御装置１０は、ステップ１０２〜１２４からなる循環処理を繰り返し実行し始める。この循環処理中、ステップ１０２にて乗員の入力装置１２の操作によりブラウザのモード切換えが指示されたかを判定する。ブラウザのモード切換えが指示されなければ、ステップ１０２にて「Ｎｏ」と判定して、ステップ１１４にて現在指定されているモードに従ったブラウザ処理を実行する。
【００１４】
前記ブラウザ処理後、ステップ１１６にて車両信号検出装置１５により車両の停止中が検出されているかを判定する。車両の停止中が検出されていれば、ステップ１１６にて「Ｙｅｓ」と判定し、ステップ１１８にて表示装置１３を通常表示状態に制御する。また、このとき、ステップ１２０の処理により、この情報端末装置を各種機能の作動を許容する通常作動状態に制御する。
【００１５】
一方、車両の停止中が検出されない場合すなわち車両が走行中の場合、ステップ１１６にて「Ｎｏ」と判定し、ステップ１２２にて表示装置１３を走行中表示状態に制御する。この走行中表示状態にあっては、車両の現在地表示のように運転操作に影響のないブラウザモードの場合には、表示装置１３の表示状態は前記通常表示状態の場合と変りがないが、運転操作に影響するブラウザモードでは、表示装置１３の表示状態をトーンダウン（暗く）する。また、この状態では、ステップ１２４の処理により、この情報端末装置を各種機能のうちの一部の機能を制限した走行中作動状態に制御する。例えば、現在地表示モードの作動は許容されるが、メールモードおよび広告モードは作動不能とされる。
【００１６】
こうようなステップ１０２，１１４〜１２４の処理中、乗員の入力装置１２の操作によるブラウザのモード切換えの指示があると、ステップ１０２にて「Ｙｅｓ」と判定して、プログラムをステップ１０４以降に進める。ステップ１０４においては、切換え指示の直前のブラウザのモードおよびその最終画面（すなわち、実行中であったブラウザのモードおよびその最終画面）を表す情報を制御装置１０内のＲＡＭ（バッファメモリ）に一時的に記憶する。
【００１７】
次に、ステップ１０６にて、前記指示された切換え後のモードと、後述するステップ１１２の処理によって記憶装置１１内に記憶されていて、切換え指示直前のブラウザのモードよりも一つ前のブラウザのモード（以降、前回ブラウザモードという）とを比較する。そして、両モードが一致していれば、ステップ１０６にて「Ｙｅｓ」と判定して、ステップ１０８にて記憶装置１１内に記憶されていて前回ブラウザモードの最終画面を表示装置１３に表示させる。前記ステップ１０８の処理後、ステップ１１２にて、前記ＲＡＭに一時的に記憶した切換え指示の直前のブラウザのモードを前回ブラウザモードとして記憶装置１１に記憶するとともに、そのモードの最終画面を表す情報を記憶装置１１に記憶する。そして、前述したステップ１１４の処理により、切換え後のブラウザのモードに従った処理であって、表示装置１３に表示させた最終画面からの続きの処理が実行される。
【００１８】
一方、前記指示された切換え後のモードと前回ブラウザモードとが一致していなければ、ステップ１０６にて「Ｎｏ」と判定してステップ１１０に進む。ステップ１１０においては、制御装置１０は、切換え後のブラウザモードの初期画面を表示装置１３に表示する。このステップ１１０の処理後、前述したステップ１１２の処理により、前回ブラウザモードおよびその最終画面を表す情報を記憶装置１１に記憶して、前述したステップ１１４のブラウザ処理を実行する。したがって、この場合には、切換え後のブラウザのモードに従った処理が、同モードの初期画面（初期状態）から実行されることになる。
【００１９】
このことを、図３の作動遷移図を用いて具体的に説明する。例えば、この情報端末装置が、メニューモード、メールモード、広告モード、ハンズフリーモード、現在地表示モードなどの複数のブラウザモードを具備しているものとする。なお、メニューモードとは、各種ブラウザモードを選択するためのモードである。メールモードとは、通信装置１４を介して外部にメールを送信するモードである。広告モードとは、通信装置１４を介して各種情報（施設情報、ニュース情報など）を取得するモードである。ハンズフリーモードとは、通信装置１４または携帯電話４０を利用した通話や信号の授受、携帯電話４０とのデータの交換などを行うモードである。
【００２０】
いま、乗員の入力装置１２を用いた指示により、制御装置１０が、ステップ１１４のブラウザ処理により、メニューモード、メールモード、広告モード、ハンズフリーモードのうちのいずれか一つのモード処理を実行していたとする。この状態では、表示装置１３には、実行中のモード処理に対応した画面が表示されている。一方、この状態で、車両を発進させると、ステップ１１６，１２２，１２４の処理により、表示装置１３の表示画面はトーンダウンされ、しかも、前記モードのブラウザ処理が不能になる。このような事態では、多くの場合、乗員は車両の走行位置を知るために入力装置１２内の現在地表示操作子を操作する。
【００２１】
この現在地表示操作子の操作により、ステップ１１４のブラウザ処理においては、ナビゲーション装置２０との協働により車両の現在地を地図とともに表示し始める。その後、乗員が車両を停止させて、前記複数のブラウザモードの一つを選択すると、制御装置１０は、ステップ１１４の処理により、前記選択されたブラウザモードの制御処理を実行し始める。この場合、選択したブラウザモードが前回ブラウザモードと異なれば、ステップ１０６，１１０の処理により、表示装置１３には選択されたブラウザモードの初期画面が表示され、乗員は初期状態からの操作を必要とする。
【００２２】
しかし、選択したブラウザモードが前回ブラウザモードと一致すれば、ステップ１０６，１０８の処理により、表示装置１３には前回ブラウザモードの最終画面が表示され、乗員はこの最終画面の続きから操作を行うことができる。このように、記憶装置１１に前回ブラウザモードおよびその最終画面を表す情報を記憶しておいて、ブラウザのモード切換え時に、前回ブラウザモードと同一のブラウザモードが選択された場合には、乗員は前回ブラウザモードの続きの操作をするのみでよいので、この情報端末装置の使い勝手が良好になる。なお、この具体例においては、現在地表示モードを挟んで、一つのブラウザモードに復帰させた場合について説明したが、間に挟むブラウザモードは現在地表示モードでなくても同様である。
【００２３】
さらに、前記のようなブラウザのモード遷移について、最初にメールモードを選択していた場合について説明する。このメールモードにおいては、図２のステップ１１４のブラウザ処理において、図４に示すようなメールルーチンを実行する。このメールルーチンはステップ２００にて開始され、制御装置１０はステップ２０２にてアドレス設定処理を実行する。このアドレス設定処理においては、乗員は入力装置１２の操作および／または音声入力装置１７を用いたマイクロフォン１７ａへの音声入力により、送信先のアドレスを入力する。この場合、アドレスを直接入力することも可能であるが、詳しくは後述する記憶装置１１に設けたアドレステーブルを利用すると便利である。
【００２４】
このアドレス設定処理後、制御装置１０はステップ２０４のテキスト入力画面処理を実行する。このテキスト入力画面処理においては、表示装置１３の表示画面が図７（Ａ）に示すように設定される。この状態で、乗員がテキスト入力する場合には、テキスト入力画面の文字列表示欄１３ａ内にタッチする。これにより、制御装置１０はソフトキーボードプログラムを起動するとともに、表示装置１３の表示画面を図７（Ｂ）に示すような５０音表示画面に切換える。
【００２５】
その後、乗員は、５０音表示画面をタッチ操作することにより文字を入力するとともに、変換ボタン１３ｂをタッチ操作することにより入力した文字列の変換を指示する。この乗員の操作に応答して、制御装置１０は図４のステップ２０６，２０８の処理により、入力された文字列および変換した文字列を表示画面の文字列表示欄１３ｃに表示する。図７（Ｂ）は、乗員が「こんにちは！おげんきですか？わたしは」と入力して、「こんにちは！お元気ですか？」までの部分を変換した状態を示している。
【００２６】
そして、このような文字入力および変換指示の終了後、乗員が完了ボタン１３ｄの操作により文字列の入力完了を指示するとともに、入力装置１２および／または音声入力装置１７を用いて送信を指示すると、制御装置１０はステップ２１０の完了処理を実行するとともに、ステップ２１２のメール送信処理を実行して、ステップ２１４にてこのメールルーチンの実行を終了する。そして、この送信の指示されたメールは、ハンズフリー装置３０および携帯電話４０を介して送信される。なお、前記説明では、アドレス入力、文字入力処理、変換処理などをこの順番で行うようにしたが、これらの順番は乗員の指示により適宜変更されるものである。
【００２７】
このような一連の処理によりメールは送信されるが、次に、このメールモードの最中に車両を発進させて現在地表示モードを選択し、その後に車両を停止させてメールモードを再度選択した場合について説明する。
【００２８】
この場合、乗員は、メール作成（テキスト入力）中に、表次画面の近傍に設けた現在地表示操作子１２ａを操作する。例えば、図７（Ｂ）に示す状態で、現在地表示操作子１２ａを操作する。この現在地表示操作子１２ａの操作に応答し、制御装置１０は図２のステップ１０２にて「Ｙｅｓ」と判定して、ステップ１０４にて図５のメールモード中断ルーチンを実行する。
【００２９】
このメールモード中断ルーチンは、ステップ２２０にて開始され、ステップ２２２にてメールモードおよびその最終画面を表す情報をＲＡＭに一時的に記憶する。なお、この場合の最終画面は、図７（Ｂ）の５０音表示画面でもよいが、本実施形態では、図７（Ａ）のテキスト入力画面としている。次に、ステップ２２４にて、変換終了文字列が存在するかを判定する。変換終了文字列が存在すれば、ステップ２２４にて「Ｙｅｓ」と判定して、ステップ２２６にて、変換終了文字列を表す情報も前記メールモードおよびその最終画面を表す情報と共にＲＡＭに一時的に記憶する。一方、変換終了文字列が存在しなければ、ステップ２２４にて「Ｎｏ」と判定して、ステップ２２８にてこのメールモード中断ルーチンの実行を終了する。
【００３０】
したがって、この場合には、図２のステップ１１２の処理により、変換終了文字列があれば、メールモード、その最終画面および変換終了文字列を表す情報が前回ブラウザモードを表す情報として記憶装置１１に記憶される。また、変換終了文字列がなければ、メールモードおよびその最終画面を表す情報だけが前回ブラウザモードを表す情報として記憶装置１１に記憶される。また、表示装置１３には、前述した図２のステップ１０６，１１０の処理により、図７（Ｃ）に示すように、車両の現在地を含む地図が表示される。
【００３１】
そして、乗員が車両を停止させて、メールモードを再度選択すると、制御装置１０はステップ１０６の判定処理により、ステップ１０８の前回ブラウザモードの最終画面の表示処理を実行する。この場合、ステップ１０８の表示処理においては、制御装置１０は図６に示すメールモード復帰処理を実行する。
【００３２】
このメールモード復帰処理は、ステップ２３０にて開始され、ステップ２３２にて前記記憶装置１１に記憶したメールモードおよびその最終画面を表す情報を用いて表示装置１３を制御して、表示装置１３にてメールモードの最終画面すなわちテキスト入力画面を表示する。次に、ステップ２３４にて前回ブラウザモードを表す情報として、変換終了文字列が記憶されているかを判定する。
【００３３】
変換終了文字列が記憶されていなければ、ステップ２３４にて「Ｎｏ」と判定して、ステップ２３８にてこのメールモード復帰ルーチンの実行を終了する。しかし、変換終了文字列が記憶されていれば、ステップ２３４にて「Ｙｅｓ」と判定してステップ２３６に進む。ステップ２３６においては、前記ステップ２３２の処理によって表示されているテキスト入力画面中の文字列表示欄１３ａに記憶されていた文字列を表示する。図７（Ｄ）は、この状態を示している。したがって、乗員は、図２のステップ１１４のブラウザ処理（図４のメールルーチン）の処理においては、文字列表示欄１３ａ内を再度タッチしてソフトキーボードプログラムを起動させ、変換終了済みの文字列に続く文字列を入力することになる。
【００３４】
このように、この情報端末装置においては、文字入力表示画面が他の表示画面に切換えられても、再度、前記文字入力表示画面に戻した場合には、記憶されている文字列を画面表示して利用することが可能となる。その結果、以前に入力した文字列を再入力する必要がなくなり、情報端末装置の使い勝手が良好になる。また、表示中の文字列のうちで、前記記憶される文字列を変換済みの文字列としたので、確定されている入力文字列のみが利用され、誤って入力された文字などは無視されるので、情報端末装置の使い勝手がより良好になる。
【００３５】
なお、本実施形態の場合、メールモードの処理実行中に異なるブラウザモードが選択され、その直後にメールモードが選択された場合にのみ、メールモード、その最終画面および変換終了文字列が前回ブラウザモードを表す情報として記憶保存された。しかし、このような文字列を入力する場合には、文字列に関する情報に関してはデータ量が少ないので、メールモードおよびその最終画面とは別に、すなわちブラウザモードの変遷とは無関係に、直前に入力された文字列に関して記憶保存しておくようにしてもよい。これによれば、文字列に限り、各種ブラウザモードを変遷させた後でも、直前に入力したデータを再利用可能となる。
【００３６】
次に、前記メールモードにおけるアドレスの設定処理に利用した記憶装置１１内のアドレステーブルの構築について説明する。記憶装置１１には、携帯電話メモリ４１内の送信先に対応させたアドレステーブルと、情報端末装置のみに固有のアドレステーブルを有している。情報端末装置のみに固有のアドレステーブルに対して、乗員は入力装置１２および／または音声入力装置１７を用いてアドレスデータを入力する。一方、携帯電話メモリ４１内の送信先に対応させたアドレステーブルには、携帯電話メモリ４１内のアドレスデータを有効に利用してアドレスデータを入力する。
【００３７】
以下、この携帯電話メモリ４１内のアドレスデータの利用について説明するが、その前に、携帯電話メモリ４１内のアドレステーブルのデータフォーマットと、記憶装置１１内のアドレステーブルのデータフォーマットについて説明しておく。携帯電話メモリ４１内のアドレステーブルには、図１０（Ａ）に示すように、インデックス番号ＩＮＤＥＸ  ＮＯに対応させて名称（漢字の名前）、名称の読み（カタカナ）および電話番号が記憶されている。これに対し、記憶装置１１内のアドレステーブルには、図１０（Ｂ）に示すように、名称（漢字の名前）、名称の読み（カタカナ）および電話番号に加えて、Ｅメールアドレスおよび位置データが記憶されている。位置データとは、該当人物の自宅、会社などの位置を表す情報である。
【００３８】
なお、携帯電話メモリ４１内にＥメールアドレスが記憶されていることもある。しかし、携帯電話４０においては、機種ごとにＥメールアドレスの記憶方法が異なり、全ての機種に対して携帯電話４０からＥメールアドレスを読出して情報端末装置に転送することは難しいために、本実施形態では携帯電話メモリ４１内のＥメールアドレスを利用しないので、携帯電話メモリ４１内のＥメールアドレスを省略して示している。
【００３９】
そして、携帯電話メモリ４１から記憶装置１１へのアドレスデータの転送においては、携帯電話４０をハンズフリー装置３０に接続して、ブラウザモードとしてハンズフリーモードを選択する。これにより、図２のステップ１１４にてハンズフリーモードのブラウザ処理が実行される。この場合、最初に、図８（Ａ）に示すように表示装置１３はハンズフリーモードのメニュー画面を表示する。そして、乗員がアドレス転送を選択すると、表示装置１３には、図８（Ｂ）に示すように、携帯電話メモリ４１内のアドレスデータを情報端末装置に転送するか否かの確認が表示される。そして、乗員が転送を選択すれば、表示装置１３の画面は図８（Ｃ）のように「転送中」の表示に変更されて、アドレスデータの転送が開始される。
【００４０】
この場合、制御装置１０は図９のアドレスマージルーチンを実行する。このアドレスマージルーチンの実行はステップ３００にて開始され、ステップ３０２にて、携帯電話メモリ４１のアドレステーブルから該当インデックス番号の名称および電話番号を読み出すとともに、記憶装置１１のアドレステーブルから該当インデックス番号の名称および電話番号を読み出して比較する。なお、初期においては、該当インデックス番号は「１」に設定されている。そして、ステップ３０４にて、携帯電話メモリ４１と記憶装置１１とで、名称および電話番号の少なくとも一方が一致しているかを判定する。
【００４１】
携帯電話メモリ４１と記憶装置１１とで、名称および電話番号の両方とも一致していなければ、ステップ３０４にて「Ｎｏ」と判定してステップ３０６に進む。ステップ３０６においては、携帯電話４０側の前記読み出したアドレスデータを記憶装置１１のアドレステーブルのインデックス番号に対応した位置に上書きする。具体的には、携帯電話４０側の名称、名称の読みおよび電話番号を記憶装置１１のアドレステーブルのインデックス番号に対応した位置に書き込む。ただし、記憶装置１１のアドレステーブルのインデックス番号に対応した位置のＥメールアドレスおよび位置データは消去される。これは、記憶装置１１内のアドレステーブル内のアドレスデータを携帯電話４０側のアドレスデータに一致させることを前提とするが、携帯電話メモリ４１内のＥメールアドレスを利用できないことが多く、また携帯電話メモリ４１は位置データを記憶していないためである。
【００４２】
携帯電話メモリ４１と記憶装置１１とで、名称および電話番号の少なくとも一方が一致していれば、ステップ３０４にて「Ｙｅｓ」と判定してステップ３０８に進む。ステップ３０８においては、記憶装置１１内の前記インデックス番号に対応するアドレスデータ中に名称の読みを表すデータがあるか否かを判定する。名称の読みを表すデータがなければ、ステップ３０８にて「Ｎｏ」と判定してステップ３１０に進む。ステップ３１０においては、携帯電話４０側の名称、名称の読みおよび電話番号を記憶装置１１のアドレステーブルのインデックス番号に対応した位置に書き込む。ただし、記憶装置１１のアドレステーブルのインデックス番号に対応した位置のＥメールアドレスおよび位置データはそのままに維持しておく。Ｅメールアドレスおよび位置データをそのままに維持する理由は、乗員が敢えて入力したＥメールアドレスと位置データを重視するためである。
【００４３】
記憶装置１１内の前記インデックス番号に対応するアドレスデータ中に名称の読みを表すデータがあれば、ステップ３０８にて「Ｙｅｓ」と判定してステップ３１２に進む。ステップ３１２においては、携帯電話４０側の名称および電話番号を記憶装置１１のアドレステーブルのインデックス番号に対応した位置に書き込む。そして、記憶装置１１のアドレステーブルのインデックス番号に対応した位置の名称の読みを表すデータ、Ｅメールアドレスおよび位置データはそのままに維持しておく。この名称の読みを残す理由は、情報端末装置側の名称の読みを表すデータを重視するためである。特に、車両に搭載された情報端末装置にあっては、ハンズフリーなどで、送信先を指定するために、乗員が携帯電話４０側の名称の読みを敢えて変更して記憶しておくことが便利であるためである。例えば、名称の読みを愛称などにしておくと、ハンズフリー装置３０を利用する場合には便利である。なお、この名称の読みの変更に関しては、入力装置１２および／または音声入力装置１７を用いて可能である。
【００４４】
このようなステップ３０６，３１０，３１２の処理後、ステップ３１４，３１６の処理により、携帯電話４０側のアドレスデータの最後まで、インデックス番号をインクレメントしながらステップ３０２〜３１２の処理を実行する。そして、携帯電話４０側のアドレスデータの最後に達すると、ステップ３１４にて「Ｙｅｓ」と判定して、ステップ３１８にてこのアドレスマージルーチンの実行を終了する。
【００４５】
このようなアドレスマージルーチンの実行により、記憶装置１１内にアドレスデータを簡単に入力できるとともに、携帯電話４０側のアドレスデータと簡単に一致させることができて、乗員にとって便利になる。また、名称の読みに関しては、情報端末装置側のデータを残すようにしたので、単なる読みではなく、乗員が指定し易い読みで送信先を指示できるようになる。これは、特に、読みを利用した音声認識により発信相手を呼出すことができるハンズフリーの場合に都合がよい。
【００４６】
以上、本発明の一実施形態について説明したが、本発明の実施にあたっては、上記実施形態に限定されるものではなく、本発明の目的を逸脱しない限りにおいて種々の変更が可能である。例えば、上記実施形態では、車両に搭載される情報端末装置に本発明を適用した例についてのみ説明したが、上記実施形態の各種処理は他の各種情報端末装置にも適用できるものである。
【図面の簡単な説明】
【図１】本発明の実施形態に係る情報端末装置の全体を示す概略ブロック図である。
【図２】図１の制御装置で実行されるブラウザ制御ログラムを示すフローチャートである。
【図３】ブラウザのモード切換えを説明するための作動遷移図である。
【図４】図２のブラウザの各種モードの一例としてのメールルーチンを示すフローチャートである。
【図５】図２のブラウザ制御プログラムの実行中、メールモードが中断されたときに実行されるメールモード中断ルーチンを示すフローチャートである。
【図６】図２のブラウザ制御プログラムの実行中、メールモードが復帰されたときに実行されるメールモード復帰ルーチンを示すフローチャートである。
【図７】（Ａ）〜（Ｄ）は、メールモード中に現在値表示モードに切換えられ、再度メールモードに戻された際の表示装置における表示画面の変遷を示す変遷図である。
【図８】（Ａ）〜（Ｃ）は、図２のブラウザ制御プログラムの実行により、ハンズフリーモード中に携帯電話内のアドレスデータを情報端装置のアドレステーブルに転送させる際の表示装置における表示画面の変遷を示す変遷図である。
【図９】前記アドレスデータの転送のために実行されるアドレスマージルーチンを示すフローチャートである。
【図１０】（Ａ）は携帯電話内のアドレステーブル内のデータフォーマット図であり、（Ｂ）は情報端末装置内のアドレステーブル内のデータフォーマット図である。
【符号の説明】
１０…制御装置、１１…記憶装置、１２…入力装置、１３…表示装置、１４…通信装置、１５…車両信号検出装置、１６…音声出力装置、１７…音声入力装置、２０…ナビゲーション装置、３０…ハンズフリー装置、４０…携帯電話。
【図１】
2004318726.tif 000003
【図２】
2004318726.tif 000004
【図３】
2004318726.tif 000005
【図４】
2004318726.tif 000006
【図５】
2004318726.tif 000007
【図６】
2004318726.tif 000008
【図７】
2004318726.tif 000009
【図８】
2004318726.tif 000010
【図９】
2004318726.tif 000011
【図１０】
2004318726.tif 000012